(57)【要約】【目的】表示装置に表示される図柄の変動に合わせた演出を行う役物を含み、特に表示装置の表示面と垂直方向、すなわち遊技機の前後方向の動きについて演出効果を得ることが出来る遊技機の表示装置を提供することを目的とする。【構成】少なくとも２つの可撓性を有する表示器と、表示器を相対的に位置決めする位置決め手段と、表示器の後方に配置された役物と、を有する。【選択図】図８
2007244674.tif 000002
【特許請求の範囲】
【請求項１】
遊技機の遊技盤内に配置される表示装置であって、
少なくとも２つの可撓性を有する表示器と、
前記表示器を相対的に位置決めする位置決め手段と、
前記表示器の後方に配置された役物と、を有することを特徴とする遊技機の表示装置。
【請求項２】
前記位置決め手段は、
前記表示器を支持する可撓性を有する支持部材と、
前記支持部材が前記遊技盤表面に沿って移動する平行経路と前記遊技盤の表面をよぎる方向に移動する垂直経路とからなる前記支持部材を案内する案内手段と、
前記支持部材を互いに離間せしめるときは前記支持部材を前記垂直経路に導入する駆動手段と、を有することを特徴とする請求項１記載の遊技機の表示装置。
【請求項３】
前記支持部材はラックギアを有し、前記駆動手段は前記平行経路及び前記垂直経路の接続位置のＲ内側に設けられて前記ラックギアに噛合するギアを含むことを特徴とする請求項２記載の遊技機の表示装置。
【請求項４】
前記表示器は互いに接合した状態において前記役物を遮蔽することを特徴とする請求項１乃至３のうちの１に記載の遊技機の表示装置。
【請求項５】
前記役物の全体又はその一部が可動であることを特徴とする請求項１乃至４のうちの１に記載の遊技機の表示装置。
【請求項６】
前記表示器が互いに離間した状態にあるとき、前記役物を前記遊技盤の前方に向けて移動せしめる役物駆動手段を更に有することを特徴とする請求項５記載の遊技機の表示装置。
【請求項７】
前記役物は前記役物駆動手段によって駆動されて、少なくともその一部が前記表示器よりも前方に位置し得ることを特徴とする請求項６記載の遊技機の表示装置。
【請求項８】
前記位置決め手段及び前記役物駆動手段は共通した駆動源によって駆動されることを特徴とする請求項６又は７記載の遊技機の表示装置。
【請求項９】
前記表示器は有機ＥＬパネルからなることを特徴とする請求項１乃至８のうちの１に記載の遊技機の表示装置。
【発明の詳細な説明】
【技術分野】
【０００１】
本発明は、遊技情報を遊技者に伝達するための遊技機の表示装置に関し、特に演出用の役物を有する遊技機の表示装置に関する。
【背景技術】
【０００２】
パチンコ機などの遊技機において、液晶パネルなどからなる表示装置を取り囲むようにして設けられた中央役物装置を遊技盤面中央に配置した機種が広く出回っている。表示装置には遊技機の遊技内容及び遊技情報などが表示されるため、遊技中の遊技者が最も注目する部分となっている。そこで表示装置及びその周辺には遊技者の興趣を惹くような各種の趣向が凝らされて遊技機としての特徴を最も強く反映する部分となっている。例えば、二次元の平面画像によって遊技の演出を行う表示装置の近傍に、三次元の空間で運動して遊技を演出する可動役物を配置した中央役物装置がある。
【０００３】
特許文献１では、液晶パネルなどからなる表示装置に表示される図柄の変動に合わせて三次元空間において演出を行う可動役物を該表示装置に隣接して配した中央役物装置を有する遊技機が開示されている。可動役物の手前には透過・遮光形態に切り替え自在な電気シャッターが設けられて、通常遊技状態では電気シャッターが遮光形態にあって可動役物は遊技者の視野から遮蔽されている。一方、「大当たり」などの特別遊技状態では、表示装置に所定の図柄が表示されるとともに、電気シャッターが遮光形態から透過形態に変化してその後方にある可動役物を遊技者が視認することが可能になるのである。
【０００４】
ところが、近年、表示装置に使用される液晶パネルが大型化してきており、可動役物を収容するスペースを中央役物装置内に確保することが困難となってきている。そこで表示装置の周辺に可動役物をいかにコンパクトに配置してこれを駆動せしめるか、更にいかにして高い遊技の演出効果を得るかについて遊技機の開発の努力が行われている。
【０００５】
このような背景のもと、例えば、特許文献２では、透過型の液晶パネルからなる表示装置の後方に液晶シャッターを設けて、その後方に可動役物を配置した中央役物装置を有する遊技機を開示している。特許文献１に開示の遊技機と同様に、通常遊技状態では液晶シャッターが閉じており、可動役物は遊技者の視野から遮蔽されている。一方、特定の遊技状態では表示装置に所定の図柄が表示されるとともに、電気シャッターが開いて可動役物が透過型の液晶パネルを介して遊技者に露出するのである。かかる中央役物装置では、表示装置と可動役物とが遊技盤面に垂直な方向に並んでいるため、表示装置が大となっても可動役物を中央役物装置内にコンパクトに収容できるのである。
【特許文献１】特開２００４−１５９８８１
【特許文献２】特開２００５−６５７７６
【発明の開示】
【発明が解決しようとする課題】
【０００６】
液晶パネルなどからなる表示装置は遊技盤面に沿った二次元の画像によって遊技の演出を行う装置であって、遊技盤面の前後方向への動きの演出に対する臨場感に欠けるといった欠点があった。そこで表示装置に表示される図柄の変動に合わせて可動役物を遊技盤面の前後方向に移動させることによって、表示装置による演出の欠点を補うことが出来ると期待されるのである。ところが上記した如く、液晶パネルの大型化に伴って表示装置に可動役物を並置するスペースが乏しくなってきているのである。また表示装置の後方に可動役物を設けた場合であっても可動役物が表示装置の後方において移動できるスペースは少なく、遊技盤面の前後方向への動きの演出に対する臨場感をもたらすには不十分なのである。
【０００７】
本発明は、以上の如き事情に鑑みてなされたものであり、表示装置に表示される図柄の変動に合わせた演出を行う役物を含み、特に表示装置の表示面と垂直方向、すなわち遊技機の前後方向の動きについて演出効果を得ることが出来る遊技機の表示装置を提供することを目的とする。
【課題を解決するための手段】
【０００８】
本発明による遊技機の表示装置は、遊技機の遊技盤内に配置される表示装置であって、少なくとも２つの可撓性を有する表示器と、前記表示器を相対的に位置決めする位置決め手段と、前記表示器の後方に配置された役物と、を有することを特徴とする。
【０００９】
本発明によれば、少なくとも２つの表示器を位置決め手段によって相対的に位置決めして表示器後方に配置された役物を遊技者に対して出没自在とすることができるのである。よって表示器の表示面と垂直方向、すなわち遊技機の前後方向の動きについて演出効果を得ることが出来るのである。
【発明を実施するための形態】
【００１０】
本発明による遊技機の表示装置の１つの実施例は、遊技機の遊技盤内に配置される表示装置であり、表示装置に表示される図柄の変動に合わせた演出を行う役物を含む。表示装置の表示器は、複数の表示パネルを組み合わせて連続した１の動画像を表示可能な可変表示器である。表示器は互いに近接・接合して１枚のパネルのように配置されている位置から、互いに分離して分割パネルとして配置されている位置の間で移動自在である。かかる表示器は、可撓性を有し屈曲可能な有機ＥＬパネルの如きからなる。
【００１１】
各表示器にはこれらを相対的に位置決めする位置決め手段が係合している。位置決め手段は駆動手段（モータ、ソレノイド等）を含む。該駆動手段は表示器の上方端部に沿って取り付けられた支持部材に係合しており、これを移動せしめることで表示器を相対的に位置決めする。支持部材は表示器と同様に柔軟であって可撓性を有し、屈曲した案内溝や案内レールの如き案内手段にガイドされながら移動自在である。案内手段は遊技盤の表面に沿って伸長する平行経路と、遊技盤の表面をよぎる方向、すなわち遊技盤の表面と略垂直方向に伸長する垂直経路とを有している。通常遊技状態では、支持部材は案内手段の平行経路に沿って位置しており表示器が互いに接合した位置にある。例えば、内部抽選によって「大当たり」を得た特別遊技状態では、駆動手段が駆動して、支持部材を平行経路から垂直経路へ導入するように移動せしめる。表示器は支持部材の運動に連動して、互いに離間する方向に移動する。故に、表示器は遊技盤面に平行な方向から遊技盤面をよぎる方向に屈曲しながら移動するのである。かかる機構によれば、遊技盤面と平行な方向に表示装置の寸法が大となることを抑制できるのである。
【００１２】
表示器の後方には全体又はその一部が可動である可動役物が配置されている。可動役物は、表示器が互いに接合した状態では遊技者の視野から遮蔽されていて遊技者はこれを視認することは出来ない。しかしながら、表示器が互いに離間する方向に移動すると、その間から遊技者へ向けて露出するのである。ここで可動役物には役物駆動機構が係合しており、表示器が互いに離間すると、その間から可動役物が遊技機の前方へ向けて移動して、表示器の表示面よりも前方に向けて突出するのである。これによれば、表示器による二次元的な遊技機の前後方向に動きのない演出にあわせて、その前方又は後方において可動役物による演出がなされるので、遊技機の前後方向に動きのある演出効果を得ることが出来る。
【００１３】
なお、位置決め手段と役物駆動機構とは共通した駆動手段によって駆動できると、表示装置をコンパクトに出来て好ましい。ところが位置決め機構の駆動する表示器と、役物駆動機構の駆動する可動役物とは可動部の移動方向が異なるのである。そこで駆動手段の出力は駆動軸の方向を変換可能なギア機構などによって分配されることが好ましい。例えば、駆動モータからの回転出力は傘ギアの如きを含むギア機構によって回転軸の方向を適宜変換して動力が伝達されるのである。
【００１４】
更に、本発明による表示装置を含む遊技機について図１乃至図９を用いて詳細に説明する。
【００１５】
特に図１に示すように、遊技機１はパチンコ機の如き遊技者のハンドル操作によって遊技球を遊技盤２の遊技領域へ向けて打ち出して遊技を行う遊技機である。遊技盤２の中央部には装飾を施された中央役物装置３が設置されている。中央役物装置３の中央部には前方へ向けて矩形の開口を有する凹部３ａがあって、凹部３ａの後方端部には略矩形の貫通穴である窓部４が設けられている。窓部４の後方には、遊技盤２の表面と略平行になるようにして配置された有機ＥＬパネルの如き、２枚１組の表示器５ａ１及び５ａ２が１つのパネルを構成するようにして配置されている。表示器５ａ１及び５ａ２には、ＣＰＵ５０からの信号を受けた画像制御部５１によって連続した１の動画像が表示され得る。なお、表示器５ａ１及び５ａ２の詳細については後述する。
【００１６】
中央役物装置３の凹部３ａ内において、窓部４の下部には略水平な面内において延在して遊技球をこの上に滞留させるためのステージ６が設けられている。ステージ６は遊技盤２に沿って長手方向に波形にうねっており、長手方向中央部の山部頂上にはこれをよぎる方向、すなわち遊技盤２と垂直な方向に伸びるようにして溝部６ａが形成されている。中央役物装置３の上部には遊技球を中央役物装置３の凹部３ａの内部に導く入賞口７がある。入賞口７は図示しない遊技球案内通路によって中央役物装置３の凹部３ａの側壁の開口と連通している。すなわち入賞口７に入った遊技球は遊技球案内通路を通って中央役物装置３の側壁に設けられた図示しない開口から凹部３ａの内部へと導かれてステージ６上へと落下するのである。ステージ６上に落下した一部の遊技球は溝部６ａに落下して、遊技盤２と垂直な方向へ中央役物装置３から落下するのである。また一部の遊技球は溝部６ａ以外の部分から中央役物装置３の下方へ落下するのである。
【００１７】
中央役物装置３の左側部には遊技盤上を落下する遊技球を受けとめるようにして設けられた開口を有する入賞口８ａがある。また、中央役物装置３のステージ６の溝部６ａの下方には、上方へ向けた開口を有する始動入賞口（チャッカー）８が設けられている。中央役物装置３のステージ６の溝部６ａから遊技盤２と垂直方向に向けて排出された遊技球は、高い確率で始動入賞口８上に落下するのである。始動入賞口８に遊技球が入球すると、これを図示しないセンサーが検知してＣＰＵ５０の内部で抽選が行われる。この抽選の結果、「大当たり」を得ると、その旨が表示器５ａ１及び５ａ２に表示されるとともに、後述する大入賞口装置９が開放されて特別遊技状態に移行するのである。なお、始動入賞口８には可動部材が設けられており、通常時は２つの可動部材は接近した位置にあって始動入賞口８の口を閉じている。一方、入賞口８ａに遊技球が入球するとこれに連動して可動部材の上方端部が離間して遊技球が始動入賞口８の口に入りやすくなるのである。更に、遊技球が入賞口８ａに入ると始動入賞口８の可動部材が再び閉動する。始動入賞口８の可動部材の開閉は入賞口８ａに遊技球が入球するたびに繰り返されるのである。
【００１８】
始動入賞口８の下方には水平方向に細長く伸長する大入賞口装置９が設けられている。大入賞口装置９は、通常遊技状態では遊技盤２に設けられた大入賞口９ａを蓋体によって閉塞している。一方、始動入賞口８に遊技球が入球してＣＰＵ５０で行われる内部抽選の結果、「大当たり」を得て特別遊技状態に移行すると、蓋体が手前に向けて回動して大入賞口９ａを所定時間だけ開放するのである。大入賞口装置９は水平方向に細長いから遊技盤２上を落下する遊技球はほとんどが大入賞口９ａに取り込まれるのである。大入賞口９ａを遊技球が通過すると一定数の賞球が遊技者に払い戻される。
【００１９】
遊技盤２の遊技領域の最下部には遊技領域に打ち出された遊技球を最終的に「はずれ」として遊技機１の内部に回収するための排出口１０が設けられている。なお、遊技盤２には図示しない釘が適宜植設されており遊技球の移動経路が規定されている。
【００２０】
更に、中央役物装置３の表示装置について説明する。
【００２１】
図２及び図３に示すように、表示器５ａ１及び５ａ２は、中央役物装置３の窓部４の後方に配置されている。表示器５ａ１及び５ａ２には、ＣＰＵ５０からの信号を受けた画像制御部５１によって連続した１の動画像が表示され得る。図２に示すように、通常遊技状態では、表示器５ａ１及び５ａ２はその一端部を互いに近接・接合させて１枚のパネルのようにして配置されている。この状態では、窓部４は完全に閉塞されている。一方、図３に示すように、特別遊技状態では、表示器５ａ１及び５ａ２は互いに離間する方向に左右に分離して分割パネルとして配置されている。更に、この状態において表示器５ａ１及び５ａ２の間からは通常遊技状態では表示器５ａ１及び５ａ２の背後に遮蔽されていた可動体４１が前方へ向けて出没するのである。なお、表示器５ａ１及び５ａ２は互いに離間しても連続した１の動画像を表示し得るのである。
【００２２】
特に図４及び図７に示すように、表示装置は２枚１組のベース部材２１ａ及び２１ｂを含み、これらは互いに上下方向に離間して対向するようにして配置されている。ベース部材２１ａは、遊技盤２と平行に中央役物装置３の窓部４に沿って伸長する平行経路２２ａと、平行経路２２ａの両端部から後方へ向けて伸長する垂直経路２２ｂとからなる摺動貫通溝２２を有する。平行経路２２ａ及び垂直経路２２ｂの接続部分２２ｃは円の一部であるＲを有して、平行経路２２ａ及び垂直経路２２ｂとをなめらかに結んでいる。同様に、ベース部材２１ｂも摺動貫通溝２２を有している。
【００２３】
表示器５ａ１及び５ａ２は略矩形の柔軟な可撓性を有する屈曲可能な有機ＥＬパネルである。表示器５ａ１及び５ａ２の下端部はベース部材２１ｂの摺動貫通溝２２内に位置している。また、表示器５ａ１及び５ａ２の上端部はベース部材２１ａの摺動貫通溝２２に貫挿されている。これにより、表示器５ａ１及び５ａ２は、ベース部材２１ａ及び２１ｂの摺動貫通溝２２に沿って移動自在である。つまり、表示器５ａ１及び５ａ２は、摺動貫通溝２２の平行経路２２ａにあるときは遊技盤２と平行な面内にあって、摺動貫通溝２２の垂直経路２２ｂにあるときは遊技盤２をよぎる方向に位置する。なお、平行経路２２ａは平行に伸長する窓部４の水平方向の長さよりも大であり、表示器５ａ１及び５ａ２の２枚の水平方向の長さを合わせた長さよりも短くなっている。つまり、表示器５ａ１及び５ａ２がその一端部を互いに合わせて窓部４の中央に位置するとき（図２参照）、窓部４は表示器５ａ１及び５ａ２によって閉塞されているのである。また、表示器５ａ１及び５ａ２の接触端部と反対側の端部は接続部分２２ｃ内若しくは垂直経路２２ｂ内に位置するのである。
【００２４】
特に図４及び図５に示すように、ガイド部材２３は柔軟で可撓性を有する屈曲可能なゴム製のベルト状部材である。ガイド部材２３は、ベース部材２１ａの上方及び摺動貫通溝２２に一部侵入するようにして、表示器５ａ１及び５ａ２の上端部に沿って取り付けられている。ガイド部材２３の後方を向けた面には長手方向に連続したギアを刻んだラックギア２３ａが設けられている。
【００２５】
ベース部材２１ａの摺動貫通溝２２の接続部分２２ｃのＲ内側には、傘歯車からなるベルト駆動ギア３０が水平面内で回転するように回動自在に軸支されている。ベルト駆動ギア３０は、その歯先を摺動貫通溝２２の接続部分２２ｃ上に位置させておりガイド部材２３のラックギア２３ａと噛合している。これによりベルト駆動ギア３０が左右に回転すると、ガイド部材２３とともに表示器５ａ１及び５ａ２が摺動貫通溝２２に沿って移動するのである。
【００２６】
シャフト３１はベース部材２１ａ上に立設された図示しないステイによって、窓部４と平行且つベース部材２１ａと平行となるようにして回転自在に支持されている。シャフト３１の両端部にはそれぞれ傘歯車からなる駆動ギア３２が取り付けられており、ベルト駆動ギア３０と噛合している。シャフト３１の中央近傍にはシャフト３１を回転せしめるべく、これを回転軸とした傘歯車からなる第１分配ギア３３が固定されている。
【００２７】
モータ３５は、その出力軸をベース部材２１と垂直に配置するようにしてベース部材２１ａ上に立設された図示しないステイに固定されている。出力軸の先端部にはベース部材２１ａと平行な面内で回転する傘歯車からなる出力ギア３４が固定されている。出力ギア３４は第１分配ギア３３と噛合している。これにより、モータ３５からの回転駆動力は、第１分配ギア３３によって２つの駆動ギア３２に伝達され、ベルト駆動ギア３０が同じ速度でしかも逆方向に回転するのである。なお、モータ３５の回転はＣＰＵ５０からの信号を受けたモータ制御部５２によって制御される。
【００２８】
更に、中央役物装置３の表示装置に含まれる可動体４１及びその駆動機構について説明する。
【００２９】
特に図９に示すように、犬の頭の形状を模した可動体４１は図示しない支持レール上にあって遊技盤２と垂直方向、すなわち遊技機１の前後方向に移動自在に支持されている。一方、可動体４１はベース部材２１ｂ上に固設されたステイ４２に取り付けられたバネ４３によって後方へ向けて付勢されており、ステイ４２の先端部のストッパ４２ａに可動体４１の一部が当接すると、これ以上は後方へ移動できないようになっている。
【００３０】
特に図５、図８、図９に示すように、シャフト４４’はベース部材２１ａ上に立設された図示しないステイによって、窓部４と垂直且つベース部材２１ａと平行となるようにして回転自在に支持されている。シャフト４４’の両端部には傘歯車が取り付けられている。一端部の第２分配ギア４４は出力ギア３４と噛合してシャフト４４’を回転せしめて他端部の第１連結ギア４５を回動せしめる。
【００３１】
シャフト４６はベース部材２１ａ上に立設された図示しないステイによって、窓部４と平行且つベース部材２１ａと平行となるようにして回転自在に支持されている。シャフト４６の一端部には傘歯車からなる第２連結ギア４７が固定されており、第１連結ギア４５と噛合している。シャフト４６の他端部にはプーリ４８が固定されている。
【００３２】
シャフト６１はベース部材２１ｂ上に立設された図示しないステイによって、窓部４と垂直且つベース部材２１ｂと平行となるようにして回転自在に軸支されている。シャフト６１の一端部にはプーリ６２が固定されている。プーリ６２とシャフト４６に固定されたプーリ４８との間にはベルト６３が巻回されている。なおベルト６３はベース部材２１ａに設けられた貫通穴６３’を通って、ベース部材２１ａの上下の間を移動自在である。シャフト６１のプーリ６２が固定された端部と反対側の端部には、カム６４が偏芯回転するように固定されている。カム６４は、遊技盤２と垂直且つベース部材２１ａと垂直な面内において回動する。
【００３３】
次に、中央役物装置３内の表示装置の動作について、図１乃至図９を用いて説明する。
【００３４】
特に、図２及び図５を参照すると、通常遊技状態では、表示器５ａ１及び５ａ２は、窓部４の水平方向中央においてその一端部を接触させた状態で停止している。このとき表示器５ａ１及び５ａ２の他端部は少なくとも摺動貫通溝２２の接続部分２２ｃよりも垂直経路２２ｂ寄りにあって、ガイド部材２３のラックギア２３ａがベルト駆動ギア３０と噛合しているのである。また、表示器５ａ１及び５ａ２は窓部４を完全に閉塞しているから、遊技者はその背後に収容されている可動体４１を窓部４を介して視認することはできないのである。更に、この状態では、カム６４は可動体４１に接触しておらず、可動体４１の後方端部がバネ４３によってステイ４２の先端部のストッパ４２ａに当接しており、この状態で可動体４１は停止しているのである。
【００３５】
ところで、ＣＰＵ５０の内部抽選の結果、「大当たり」を得た場合、これを示す画像を表示する命令をＣＰＵ５０は画像制御部５１に送出する。この信号を受けた画像制御部５１は表示器５ａ１及び５ａ２にそれぞれ画像信号を送出して一連の画像を表示せしめるのである。これとともにＣＰＵ５０はモータ制御部５２に信号を送出してモータ３５の回転を開始させる。
【００３６】
特に図６を参照すると、モータ３５は、出力ギア３４を図の反時計回りに回転させて、２つのベルト駆動ギア３０を互いに反対方向に、詳細には右手のベルト駆動ギア３０を反時計方向に、左手のベルト駆動ギア３０を時計方向に回動せしめるのである。ベルト駆動ギア３０によってガイド部材２３は、表示器５ａ１及び５ａ２を摺動貫通溝２２に沿って平行経路２２ａから垂直経路２２ｂの方向へ向けてそれぞれ移動せしめるのである。このとき、表示器５ａ１及び５ａ２の接触端部は互いに離間するように移動するので、その間から可動体４１が外部に裸出する。遊技者は窓部４を介してこれを視認することが可能となるのである。
【００３７】
特に、図９を参照すると、モータ３５が出力ギア３４を回転せしめると、第２分配ギア４４、第１連結ギア４５、第２連結ギア４７、プーリ４８、６２を介してカム６４が図の時計回りに回転するのである。カム６４は可動体４１の後方端部に当接すると、可動体４１をバネ４３の収縮力に反して前方に押し出すのである。シャフト６１からもっとも離れたカム６４の端部が可動体４１の後方端部に当接して、可動体４１が窓部４よりも最も前方に突出した状態でモータ３５は停止する。この状態において表示器５ａ１及び５ａ２は窓部４において左右に離間して可動体４１と衝突しないようになっている。なお、モータ３５の停止した状態で、表示器５ａ１及び５ａ２の一端部は少なくとも摺動貫通溝２２の接続部分２２ｃよりも水平経路２２ａ寄りにあって、ガイド部材２３のラックギア２３ａがベルト駆動ギア３０と噛合しているのである。
【００３８】
一方、上記した動作を逆に行うことで、可動体４１はバネ４３によって再び後方へ移動して、表示器５ａ１及び５ａ２は窓部４の水平方向中央部においてその一端部を接触させて最初の状態に戻るのである。
【００３９】
以上の如く、特別遊技状態では、表示器５ａ１及び５ａ２の開閉が繰り返し行われるのである。
【図面の簡単な説明】
【００４０】
【図１】本発明による表示装置を含む遊技機の正面図である。
【図２】本発明による表示装置を含む遊技機の要部の斜視図である。
【図３】本発明による表示装置を含む遊技機の要部の斜視図である。
【図４】本発明による表示装置を含む遊技機の要部を分解した正面図である。
【図５】本発明による表示装置を含む遊技機の要部の立面図である。
【図６】本発明による表示装置を含む遊技機の要部の立面図である。
【図７】本発明による表示装置の要部の立面図である。
【図８】本発明による表示装置の要部の斜視図である。
【図９】本発明による表示装置の要部の斜視図である。
【符号の説明】
【００４１】
１              遊技機
２              遊技盤
３              中央役物装置
４              窓部
５ａ１、５ａ２  表示器
６              ステージ
７、８          入賞口
９              大入賞口装置
１０            排出口
４１            可動役物
２２            摺動貫通溝
２２ａ          平行経路
２２ｂ          垂直経路
２２ｃ          接続部分
２３            ガイド部材
２３ａ          ラックギア
３０            （ベルト駆動）ギア
３１、４４’、４６、６１  シャフト
３２            駆動ギア
３３            第１分配ギア
３４            出力ギア
３５            モータ
４２            ステイ
４２ａ          ストッパ
４４            第２分配ギア
４５            第１連結ギア
４７            第２連結ギア
４８、６２      プーリ
５０            ＣＰＵ
５１            画像制御部
５２            モータ制御部
６３            ベルト
６４            カム
【図２】
2007244674.tif 000003
【図３】
2007244674.tif 000004
【図４】
2007244674.tif 000005
【図５】
2007244674.tif 000006
【図６】
2007244674.tif 000007
【図７】
2007244674.tif 000008
【図８】
2007244674.tif 000009
【図９】
2007244674.tif 000010
【図１】
2007244674.tif 000011